(57)【要約】【課題】簡易な装置で、壁面の変形を測定できる装置を提供する。【解決手段】少なくとも２本のガイドワイヤと、ガイドワイヤの本数だけ貫通穴を開設したセンサー台と、ガイドワイヤの下端に取り付けるアンカーと、センサー台を吊り下ろす昇降ケーブルと、ガイドワイヤや昇降ケーブルを巻きつけるシーブを搭載したガイド材とで構成する。センサー台は距離センサーを取り付ける。【選択図】図１
2011220959.tif 000002
【特許請求の範囲】
【請求項１】
少なくとも２本のガイドワイヤと、
ガイドワイヤの本数だけ貫通穴を開設したセンサー台と、
ガイドワイヤの下端に取り付けるアンカーと、
センサー台を吊り下ろす昇降ケーブルと、
ガイドワイヤや昇降ケーブルを巻きつけるシーブを搭載したガイド材とで構成し、
センサー台は距離センサーを取り付ける部材であることを特徴とする、
壁面形状計測装置。
【発明の詳細な説明】
【技術分野】
【０００１】
本発明は、壁面形状計測装置に関するものである。
【背景技術】
【０００２】
コンクリート製の一体型の擁壁ではなく、分割したパネルを鉛直に積み重ねてゆくタイプの盛土では盛土全体がフレキシブルに挙動するため、耐震性に優れておりこれまで多くの地震に対しその安全性を示してきた。
しかしこの耐震性が定量的にどの程度であるかについては、未だ得られていない。
耐震性評価のためには、発生した地震動に対して補強土がどのように応答し、その結果、補強土壁がどのように変形したかの実測データを解析しなければならないが、それがなされてこなかったことが原因している。
現場計測が行われてこなかった要因は、従来はこうした考え方が不要であったこと、および計測そのものが困難であったことが理由である。
【先行技術文献】
【特許文献】
【０００３】
【特許文献１】特開２００８−４５８９０号公報。
【発明の概要】
【発明が解決しようとする課題】
【０００４】
後者について説明すると、垂直な補強土壁の平面変状（凹凸）を計測するには、壁高が概ね３ｍ未満であれば、下げ振りと定規を用いて目視で簡単に行うことができる。
しかし壁高が３ｍ以上になると任意の場所に定規を当てることができなくなる。
そこで、トランシットや３次元の光波測量機器を用いなければならなくなるが、トランシットや光波測量機器はその取り扱いが複雑で、機器自体も高価になるため、計測が簡単とはいえない。
さらに計測する対象の壁面に標的を設置する必要があるが、そうした計測前の準備自体が困難な作業となる。（特許文献１）
またこれら測量機器を使用して計測する場合、壁前面に樹木などの障害物があったり、あるいは壁前面側が斜面になっていて計測器を設置できないケースが多く、そうなると計測が非常に困難となる。
【課題を解決するための手段】
【０００５】
上記のような課題を解決するために、本発明の壁面形状計測装置は、少なくとも２本のガイドワイヤと、ガイドワイヤの本数だけ貫通穴を開設したセンサー台と、ガイドワイヤの下端に取り付けるアンカーと、センサー台を吊り下ろす昇降ケーブルと、ガイドワイヤや昇降ケーブルを巻きつけるシーブを搭載したガイド材とで構成し、センサー台は距離センサーを取り付ける部材であることを特徴としたものである。
【発明の効果】
【０００６】
本発明の壁面形状計測装置は以上説明したようになるから次のような効果を得ることができる。
＜１＞  高価で複雑な機器をもちいず、簡易な装置によってだれでも計測できるからきわめて経済的である。
＜２＞  壁面の上端から吊り下ろすだけの装置であるので、擁壁前面に多くの植生があっても、あるいは擁壁前面の足場が悪くとも壁面の計測を行うことができる。
＜３＞  測定すべき壁面に標的を設置するような作業が不要であり、既設の壁面であっても簡単に計測を行うことができる。
【図面の簡単な説明】
【０００７】
【図１】本発明の壁面形状計測装置の使用状態の説明図。
【図２】センサー台の実施例の説明図。
【発明を実施するための形態】
【０００８】
以下図面を参照にしながら本発明の好適な実施の形態を詳細に説明する。
【実施例】
【０００９】
＜１＞全体の構成。
本発明の壁面形状計測装置は、ガイドワイヤ１と昇降ケーブル２とセンサー台３とアンカー、およびガイドワイヤ１や昇降ケーブル２を巻き取るドラムなどによって構成する。
【００１０】
＜２＞ガイド材４。
装置の全体を支持するガイド材４は、Ｈ鋼などの鋼材を使用する。
このガイド材４を、自動車その他の台車あるいは架台に、回転軸を介して取り付けておけば、時計の針を旋回させるようにガイド材４を空中へ張り出すことができる。
あるいはカメラの三脚のような複数段に伸びる部材として構成することもできる。
【００１１】
＜３＞ガイドワイヤ。
ガイドワイヤ１は、後述する距離センサー５を昇降させる際のガイドとするワイヤである。
そのためにガイドワイヤ１は少なくとも２本を必要とする。
この２本のガイドワイヤ１を、壁面の上端から空中に水平に張り出したガイド材４のシーブを介して壁面に沿って吊り下ろす。
【００１２】
＜４＞ワイヤアンカー。
複数本のガイドワイヤ１の下端には一体のワイヤアンカー６を取り付ける。
これはガイドワイヤ１に鉛直方向の重量を与える重量体である。
このワイヤアンカー６の下面にはピンなどを下向きに突設して、ピン６１を地中に食い込ませて、ガイドワイヤ１を鉛直な状態に維持する。
【００１３】
＜５＞センサー台。
センサー台３は、市販の距離センサー５などを搭載あるいは取り付ける部材である。
そのセンサー台３の一部にはガイドワイヤ１の位置に応じた位置に、ガイドワイヤ１の本数だけ貫通孔３１を鉛直方向に開設する。
この貫通孔３１にガイドワイヤ１を貫通させることによって、センサー台３をガイドワイヤ１にガイドさせて昇降させることができる。
【００１４】
＜６＞昇降ケーブル。
センサー台３に昇降ケーブル２を取り付ける。
この昇降ケーブル２は、センサー台３をガイドワイヤ１に沿って吊り下ろし、あるいは吊りあげるためのケーブルであるが、さらに信号線を兼ねることもできる。
信号線で送る信号とは、距離センサー５で測定した距離のデータである。
また昇降ケーブル２には目盛を設けておき、吊り下ろしたセンサー台３の位置が分かるように構成する。
【００１５】
＜７＞シーブ類。
ガイドワイヤ１、昇降ケーブル２を吊り下ろし、あるいは吊りあげるために、ガイド材４にはガイドワイヤ１の数に応じた複数のワイヤ用シーブ７３、ケーブル用シーブ７４を取り付ける。
このシーブ７３、７４を介して、ガイドワイヤ１や昇降ケーブル２の方向を水平から鉛直に変えることができる。
またガイド材４の上に、あるいは近接した位置に、昇降ケーブル２用のケーブルドラム７１と、ガイドワイヤ用のワイヤドラム７２を設置する。
ケーブルドラム７１の回転によって昇降ケーブル２を、ワイヤドラム７２の回転によってガイドワイヤ１を巻き下ろし、あるいは巻き上げることができる。
【００１６】
＜８＞ガイド材の張り出し。
次に本発明の装置の使用方法について説明する。
まずガイド材４を壁面の上部から空中に張り出す。
このガイド材４には前記したように、昇降ケーブル２用のシーブ７４と、ガイドワイヤ１用のシーブ７３が設けてあり、それらが壁面上の空中に位置することになる。
【００１７】
＜９＞ガイドワイヤの吊り下ろし。
実施例では２本であるが、そのガイドワイヤ１をシーブ７３を介して壁面に沿って下方に向けて吊り下ろす。
ガイドワイヤ１の下端にはワイヤアンカー６が固定してあるから、その重量が下げ振りの重りの役目をしてガイドワイヤ１に鉛直性を与える。
アンカー６が壁面の下の地表面に達したら、待機している作業員がアンカー６下面のピン６１を地中に差し込んで固定する。
【００１８】
＜１０＞センサー台の取り付け。
次に昇降ケーブル２を、先端にセンサー台３と距離センサー５を取り付けた状態で吊り下ろす。
センサー台３が壁面の下方に達したら、下の作業員がセンサー台３の貫通孔３１にガイドワイヤ１を挿入する。
センサー台３の貫通孔３１は台の外面まで溝３２を介して連続しているから、この溝３２にガイドワイヤ１を通して貫通孔３１に貫通させることができる。
いったん壁面の下部まで昇降ケーブル２を下ろす理由は、ケーブルドラム７１に巻いてある昇降ケーブル２をそのまま伸ばすと、ねじれていて戻る方向に回転するので、そのねじれを開放してから使用するためである。
【００１９】
＜１１＞計測。
上記の準備が完了したら壁面の上のケーブルドラム７１を回転させて、昇降ケーブル２を徐々に巻き上げる。
するとセンサー台３はその平面視の方向を２本のガイドワイヤ１によって規制された状態で上昇する。
その過程でセンサー台３に取り付けた距離センサー５により、壁面との距離を計測してゆく。
このように距離センサー５はその平面視の方向がガイドワイヤ１によって規制されるので多少の風があって揺れることがない。
また鉛直に垂下したガイドワイヤ１の平面視の位置はワイヤ用のシーブ７３の位置で正確に把握できるので、基準とする鉛直線から壁面までの正確な距離を計測してゆくことができる。
距離センサー５の鉛直方向の位置は、昇降ケーブル２に記した目盛で知ることができるので、距離センサー５を引き上げながら測定している高さ方向の位置も正確に把握できる。
【符号の説明】
【００２０】
１：ガイドワイヤ
２：昇降ケーブル
３：センサー台
４：ガイド材
５：距離センサー
６：ワイヤアンカー
【図１】
2011220959.tif 000003
【図２】
2011220959.tif 000004